(57)【要約】【課題】本発明は、素材に対して一意に付加される素材番号の発生方法を一意に規定し、ユーザが素材を正しく管理できることを目的とする。【解決手段】映像データ及び音声データにメタデーダを付加して送信する場合に、メタデータとして素材番号及び素材番号に関する識別情報を多重して送信し、受信側では送信された識別情報に基づいて素材番号の有効性を判断して記録媒体に記録する素材番号を決定するように構成したものであり、この構成により、送信側、受信側での素材番号の発生方法を一意に規定することができ、ユーザが素材番号を正しく管理することができる。【選択図】　図１
2004140564.tif 000002
【特許請求の範囲】
【請求項１】
映像データ及び音声データを含む素材データを外部に伝送するにあたり、上記映像データ及び音声データに関する付加的なデータであるメタデータを発生するメタデータ発生手段と、上記素材データを一意に識別するために上記素材データに対して固有の番号を発生する素材番号発生手段と、上記素材番号の内容に関する情報を発生する素材番号情報発生手段と、上記映像データ、音声データ、メタデータに上記所定の素材番号及び上記素材番号情報を付加して送信する送信手段とを備え、上記素材番号情報発生手段は伝送される上記素材データに対して付加された素材番号の有効性を識別するための情報を発生することを特徴とするデータ送信装置。
【請求項２】
素材番号識別情報発生手段は、伝送される上記素材データに対して付加された素材番号の有効性と素材番号の発生方法を合わせた情報を発生することを特徴とする請求項１記載のデータ送信装置。
【請求項３】
映像データ及び音声データ及び上記映像データと音声データに関する付加的なデータであるメタデータを含む素材データを受信するにあたり、上記メタデータから上記素材データを一意に識別するために付加された固有の素材番号を検出する素材番号検出手段と、上記メタデータから上記素材番号に関する情報を検出する素材番号識別情報検出手段と、検出された上記素材番号識別情報に基づいて上記記録媒体に記録する素材番号を決定する素材番号決定手段と、上記映像データ及び音声データ及び素材番号が上記素材番号決定手段で決定された素材番号に置き換えられたメタデータとを記録媒体に記録する記録手段とを備え、上記素材番号決定手段は検出された上記素材番号識別情報に基づいて上記記録媒体に記録する素材データの素材番号を決定することを特徴とするデータ受信装置。
【発明の詳細な説明】
【０００１】
【発明の属する技術分野】
本発明は、映像データ及び音声データを含む素材データを再生して送信する送信装置、送信された素材データを受信して記録する受信装置に関する。
【０００２】
【従来の技術】
近年、撮影収録等によって得られた映像データ及び音声データ等からなる素材データを識別するために、各素材データ毎に固有の識別情報子を付与することが試みられており、具体的には、ＳＭＰＴＥ（Ｓｏｃｉｅｔｙ　ｏｆ　Ｍｏｔｉｏｎ　Ｐｉｃｔｕｒｅ　ａｎｄ　Ｔｅｌｅｖｉｓｉｏｎ　Ｅｎｇｉｎｅｅｒｓ）−３３０ＭにおいてＵＭＩＤ（Ｕｎｉｑｕｅ　Ｍａｔｅｒｉａｌ　ＩＤｅｎｔｉｆｉｅｒ）として提唱されている。ＵＭＩＤの目的及び具体的な構成については、特開２００２−２７１３９５号公報に詳しく記載されている。ＵＭＩＤは、例えばカメラでの撮影等で素材データが新規に発生された場合に、発生された素材に対して一意に付与され、全世界的に固有とされる識別子である。ＵＭＩＤは、複製などによってある素材データから派生した素材データに対しても新たな識別子が付与され、複数の素材データを編集して番組を作成した場合においても、各素材データに関する情報、例えば収録した日時、場所、収録者の情報を探索することができる。
【０００３】
次に具体的なＵＭＩＤの構成について、図４を用いて説明する。
【０００４】
図４はＵＭＩＤの具体的な構成を示した図であり、ＵＭＩＤは、ＳＭＰＴＥ規格に基づくＫＬＶ（Ｋｅｙ　Ｌｅｎｇｔｈ　Ｖａｌｕｅ）プロトコルに準拠したフォーマットを有する。ＫＬＶフォーマットは、１６バイトからなるユニバーサル・ラベル・データ・キー（Ｕｎｉｖｅｒｓａｌ　Ｌａｂｅｌ　Ｄａｔａ　Ｋｅｙ）領域と、可変長であるバリュー・レングス（Ｖａｌｕｅ　Ｌｅｎｇｔｈ）領域と、可変長であるバリュー（Ｖａｌｕｅ）領域とから構成される。
【０００５】
このようなＫＬＶプロトコルに準拠するＵＭＩＤは、図４に示すように、本来の役割である素材データの識別に用いられる３２バイトからなるベーシック・ＵＭＩＤ（Ｂａｓｉｃ　ＵＭＩＤ）と、素材データの内容を用いて識別するための３２バイトからなるシグネチャ・メタデータ（Ｓｉｇｎａｔｕｒｅ　Ｍｅｔａｄａｔａ）とに大別され、全体として６４バイトからなるエクステンディッド・ＵＭＩＤ（Ｅｘｔｅｎｄｅｄ　ＵＭＩＤ）として構成される。
【０００６】
ベーシック・ＵＭＩＤは、１２バイトからなるユニバーサル・ラベル（Ｕｎｉｖｅｒｓａｌ　Ｌａｂｅｌ）領域１と、１バイトからなるレングス（Ｌｅｎｇｔｈ）領域２と、３バイトからなるインスタンス・ナンバ（Ｉｎｓｔａｎｃｅ　Ｎｕｍｂｅｒ）領域３と、１６バイトからなるマテリアル・ナンバ（Ｍａｔｅｒｉａｌ　Ｎｕｍｂｅｒ）領域４とから構成される。
【０００７】
ユニバーサル・ラベル領域１は、データの種別を識別するための符号を格納するものであり、詳細はＳＭＰＴＥ−２９８Ｍにおいて規格化されている。レングス領域２は、データ長を示す符号を格納するものであり、ベーシック・ＵＭＩＤの場合には、“１３ｈ”が格納され、エクステンディッド・ＵＭＩＤの場合には、“３３ｈ”が格納される。インスタンス・ナンバ領域３は、素材データの世代管理、例えばダビング処理や編集処理等が施されたか否かを示す符号を格納するものである。マテリアル・ナンバ領域４は、素材データを区別するための符号を格納するものであり、４バイトからなるタイム・スナップ（Ｔｉｍｅ　Ｓｎａｐ）５と、８バイトからなるランダム・ナンバ（Ｒａｎｄｏｍ　Ｎｕｍｂｅｒ）６と、４バイトからなるマシン・ノード（Ｍａｃｈｉｎｅ　Ｎｏｄｅ）７とを有する。タイム・スナップ５は、１日のスナップクロックサンプル数を示し、クロック単位で素材データの作成時刻等を示すものである。ランダム・ナンバ６は、正確でない時刻をセットした場合や、例えばＩＥＥＥ（Ｉｎｓｔｉｔｕｔｅ　ｏｆＥｌｅｃｔｒｉｃａｌ　ａｎｄ　Ｅｌｅｃｔｒｏｎｉｃｓ　Ｅｎｇｉｎｅｅｒｓ、アメリカ電気電子学会）において定義された機器のネットワークアドレスが変化した場合に、重複した番号が付されないようにするための符号である。マシン・ノード７は、ネットワークにおける機器を示すものである。
【０００８】
一方、シグネチャ・メタデータは、８バイトからなるタイム／デート・コード（Ｔｉｍｅ／Ｄａｔｅ　Ｃｏｄｅ）領域８と、１２バイトからなるスペーシャル・コーディネイト（Ｓｐａｔｉａｌ　Ｃｏ−ｏｒｄｉｎａｔｅｓ）領域９と、４バイトからなるカントリー（Ｃｏｕｎｔｒｙ）領域１０と、４バイトからなるオルガニゼーション（Ｏｒｇａｎｉｚａｔｉｏｎ）領域１１と、４バイトからなるユーザ（Ｕｓｅｒ）領域１２とから構成される。
【０００９】
タイム／デート・コード領域８は、素材データが作成された時間と日付とを識別するための符号を格納するものである。スペーシャル・コーディネイト領域９は、素材データが作成された場所に関する位置情報を示す符号を格納するものである。カントリー領域１０は、省略されたアルファベット等の文字や記号によって国名を定義するものである。オルガニゼーション領域１１は、省略されたアルファベット等の文字や記号によって組織名を定義するものである。ユーザ領域１２は、省略されたアルファベット等の文字や記号によって素材データを作成したユーザ名を定義するものである。
【００１０】
【特許文献１】
特開２００２−２７１３９５号公報
【００１１】
【発明が解決しようとする課題】
上述したように、収録された素材データを一意に識別するために、ＵＭＩＤとして各素材データに固有のマテリアル・ナンバが付与される。すなわち、素材を記録媒体上に最初に記録する場合に、素材データに対して新たな対応するマテリアル・ナンバが発生され、素材データに付加される。
【００１２】
ここで、例えばカメラ等で撮影している素材をＶＴＲなどの別の記録機器に伝送して記録する場合、カメラ自身は記録手段を内臓していないため、撮影された素材データが別の記録装置に伝送されて記録媒体に記録された時点で、新たなマテリアル・ナンバが発生される。また、例えば記録装置を内蔵したカメラ（以下カムコーダと記す）で撮影しながらバックアップ用として同時に別の記録装置でも記録する場合、カムコーダ及びＶＴＲで記録媒体に記録された時点でマテリアル・ナンバが発生され、記録される素材データに付加される。
【００１３】
しかしながら、従来のＵＭＩＤの定義では、カメラ等の撮像装置で撮影された素材を別の記録装置で記録する場合に、オリジナル素材として新しいマテリアル・ナンバを発生して記録媒体に記録すべきなのか、それともすでにマテリアル・ナンバが付加された素材に対して、世代管理情報のみを更新して記録すべきであるのかの区別がつかない。したがって、例えばカメラで撮影している素材をＶＴＲなどの別の記録機器に伝送して記録する場合、カメラから任意のマテリアル・ナンバを付加して伝送すると、それを受信して記録するＶＴＲ側では、既にマテリアル・ナンバが付与された素材として世代情報のみを更新して記録する。したがって、ＶＴＲ側で記録された素材は、世代の進んだナンバーを付加された素材となる。一方、素材の発生源であるカメラ自身では記録を行っていないため、オリジナルのナンバーを付加された素材がどこにも存在しない不具合が発生する。
【００１４】
本発明は、このような実情に鑑みてなされたものであり、従来のＵＭＩＤのフォーマットとの上位互換性を保ち、かつ記録媒体に素材を記録する場合に、素材の固有の番号であるマテリアル・ナンバの発生方法を一意に規定し、ユーザがＵＭＩＤによる運用を行った場合に、素材を正しく管理することが可能なデータ再生装置及びデータ記録装置を提供することを目的とする。
【００１５】
【課題を解決するための手段】
この課題を解決するために本発明は、映像データ及び音声データにメタデーダを付加して送信する場合に、メタデータとして素材番号及び素材番号に関する識別情報を多重して送信し、受信側では送信された識別情報に基づいて素材番号の有効性を判断して記録媒体に記録する素材番号を決定するように構成したものであり、この構成により、送信側、受信側での素材番号の発生方法を一意に規定することができ、ユーザが素材番号を正しく管理することができる。
【００１６】
【発明の実施の形態】
本願の請求項１に記載の発明によるデータ送信装置は、映像データ及び音声データを含む素材データを外部に伝送するにあたり、上記映像データ及び音声データに関する付加的なデータであるメタデータを発生するメタデータ発生手段と、上記素材データを一意に識別するために上記素材データに対して固有の番号を発生する素材番号発生手段と、上記素材番号の内容に関する情報を発生する素材番号情報発生手段と、上記映像データ、音声データ、メタデータに上記所定の素材番号及び上記素材番号情報を付加して送信する送信手段とを備え、上記素材番号情報発生手段は伝送される上記素材データに対して付加された素材番号の有効性を識別するための情報を発生することを特徴とするものであり、送信される識別情報を参照することにより、素材データを受信した側で素材番号の有効性を判断することができるという作用を有する。
【００１７】
また本願の請求項３に記載の発明によるデータ受信装置は、映像データ及び音声データ及び上記映像データと音声データに関する付加的なデータであるメタデータを含む素材データを受信するにあたり、上記メタデータから上記素材データを一意に識別するために付加された固有の素材番号を検出する素材番号検出手段と、上記メタデータから上記素材番号に関する情報を検出する素材番号識別情報検出手段と、検出された上記素材番号識別情報に基づいて上記記録媒体に記録する素材番号を決定する素材番号決定手段と、上記映像データ及び音声データ及び素材番号が上記素材番号決定手段で決定された素材番号に置き換えられたメタデータとを記録媒体に記録する記録手段とを備え、上記素材番号決定手段は検出された上記素材番号識別情報に基づいて上記記録媒体に記録する素材データの素材番号を決定することを特徴とするものであり、送信された識別情報に基づいて記録媒体に記録する素材番号を決定し、識別情報が無効で送信された場合には新たな素材番号を発生して記録することができるという作用を有する。
【００１８】
以下、本発明の実施の形態について、図１から図３を用いて説明する。
【００１９】
（実施の形態１）
以下、本発明を適用した具体的な実施の形態１について図面を参照しながら説明する。図１は本発明による第１の実施の形態のデータ送信装置の構成を示したブロック図である。
【００２０】
図１において、１００は撮像素子からのデータを電気的な映像データに変換して出力する撮像部、１０１は映像データの処理を行う映像データ処理部、１０２は処理された映像データ、１０３はマイクロフォン、１０４は音声データを処理する音声データ処理部、１０５は音声処理を施された音声データ、１０６はユニバーサル・ラベル発生部、１０７はユニバーサル・ラベル、１０８は撮影時の日付、時間、場所等のシグネチャ・メタデータを発生するシグネチャ・メタデータ発生部、１０９はシグネチャ・メタデータ、１１０はマテリアル・ナンバを発生するマテリアル・ナンバ発生部、１１１は発生されたマテリアル・ナンバ、１１２はマテリアル・ナンバに関する識別情報を発生する識別情報発生器、１１３は発生された識別情報、１１４は世代管理情報であるインスタンス・ナンバを発生するインスタンス・ナンバ発生部、１１５発生されたインスタンス・ナンバ、１１６はユニバーサル・ラベル１０７、シグネチャ・メタデータ１０９、マテリアル・ナンバ１１１、識別情報１１３、インスタンス・ナンバ１１５を多重する多重化部、１１７はＵＭＩＤ、１１８は映像データ１０２、音声データ１０５、ＵＭＩＤ１１７から所定のフォーマットのストリームを構成するフォーマッタ部、１１９はフォーマット化されたストリームをさらに伝送用の信号に変換して出力するインターフェース部、１２０は出力端子である。
【００２１】
なお、上記の各構成部分において、請求項１のメタデータ発生手段は、ユニバーサル・ラベル発生部１０６、シグネチャ・メタデータ発生部１０８、インスタンス・ナンバ発生部１１４に、素材番号発生手段はマテリアル・ナンバ発生部１１０に、素材番号情報発生手段は識別情報発生部１１２に、送信手段はフォーマッタ部１１８、インターフェース部１１９にそれぞれ対応する。
【００２２】
以下本実施の形態の具体的な動作を説明する。本実施の形態では、カメラで撮影した映像データ、音声データにＵＭＩＤを付加して外部に送信する。なお、厳密には映像データ、音声データに対してＵＭＩＤ以外の補助データも処理されて伝送されるが、本実施の形態では説明を省略する。
【００２３】
撮像部１００で電気信号に変換されたデータは、映像データ処理部１０１にて所定のサンプリング周波数でサンプリングされ、映像データ１０２として出力される。また、マイクロフォン１０３から取り込まれた音声データは音声データ処理部１０４で所定のサンプリング周波数でサンプリングされ、映像フレーム周期で所定のサンプル数単位に分割された後、対応する上記映像データに同期して音声データ１０５として出力される。また、ユニバーサル・ラベル発生部１０６はユニバーサル・ラベル１０７を発生し、シグネチャ・メタデータ発生部１０８は、素材を撮影した日付、時間、位置情報、国名、組織名、撮影者名等を自動または撮影者が手動入力で発生し、シグネチャ・メタデータ１０９として出力する。次に、マテリアル・ナンバ発生部１１０は撮影した素材データを識別するための素材データに対する固有のマテリアル・ナンバ１１１を発生する。ここで、マテリアル・ナンバは本来記録媒体等に記録する場合に記録開始点において固定値に設定するものであるため、本実施の形態のように撮影した素材データを外部に出力するだけの場合は、毎フレームナンバを更新する。つまり、素材データに対して固有のマテリアル・ナンバが付加されていないため、識別情報発生部１１２では、マテリアル・ナンバの有効性を識別するための識別情報１１３を設定する。
【００２４】
図２は、識別情報発生部１１２で設定される識別情報としてマテリアル・ナンバの発生方法（マテリアル・ナンバジェネレーションメソッド）の定義を示した説明図であり、この情報によってマテリアル・ナンバがどのような方法で設定されたかを示している。図２において、値が”０”、”１”、”２”に設定された場合には、マテリアル・ナンバが各々対応する発生方法で設定されていることを示しており、発生されたマテリアル・ナンバは有効である。値が”７”に設定されている場合には、マテリアル・ナンバが設定されていない（無効である）ことを示している。またその他の値は、将来的な拡張のためにリザーブされている。
【００２５】
本実施の形態では素材に対するマテリアル・ナンバが毎フレーム更新され素材に対して一意に確定していないため、マテリアル・ナンバ発生方法は”７”に設定される。また、インスタンス・ナンバ発生部１１４は、素材の世代を表すインスタンス・ナンバ１１５を設定し、本実施の形態では、送信装置自身が素材を発生するため、インスタンス・ナンバとしてはオリジナル素材であることを示す”ゼロ”が設定される。
【００２６】
このようにして設定されたユニバーサル・ラベル１０７、シグネチャ・メタデータ１０８、マテリアル・ナンバ１１１、インスタンス・ナンバ１１５は多重化器１１６で多重され、一つのＵＭＩＤとしてパッケージ化されてＵＭＩＤ１１７として出力される。
【００２７】
各構成要素にて処理された映像データ１０２、音声データ１０５、ＵＭＩＤ１１７はフォーマッタ部１１８で、１つの素材データストリームとしてフォーマット化され、インターフェース部１１９に送られる。インターフェース部１１９では、外部に出力するためのパケット化、誤り訂正符号化、チャンネルコーディングが行われ、出力端子１２０から送信される。なお、外部に出力するフォーマットとしては例えばＳＭＰＴＥ２５９Ｍで規定されているシリアルディジタルインターフェースがある。シリアルディジタルインターフェースフォーマットでは、映像データは有効期間に伝送され、音声データはパケット化されて水平ブランキング期間のアンシラリ領域にマッピングされて伝送される。また、ＵＭＩＤは補助データとしてパケット化され、垂直ブランキング期間に設けられた補助データ用のアンシラリ領域に多重されて伝送される。
【００２８】
次に、一連の処理を経て出力端子から出力される素材データに付加されているＵＭＩＤの個々のデータの中で、識別情報で示されるようにマテリアル・ナンバが確定していない状態である。したがって、本送信装置から出力された素材データを受信した側では、素材データを記録媒体に記録する場合に、多重された識別情報を検出し、マテリアル・ナンバが確定していないため、新規にマテリアル・ナンバを発生させてオリジナルの素材として記録を行う。また、素材の撮影時の情報であるシグネチャデータについては、撮影時の情報はは正しく付加されて送信されているため、送信されたデータをそのまま記録する。これにより、記録媒体上の素材にはオリジナル素材としてのマテリアル・ナンバ、インスタンス・ナンバが付加され、かつシグネチャデータは、元々送信側で設定された値がそのまま保存される。
【００２９】
以上説明したように本実施の形態によれば、素材に固有に付加されるマテリアル・ナンバの有効性を示す識別情報を素材データと合わせて送信を行うことにより、受信側でマテリアル・ナンバの有効性を判断し、それに基づいて新たなマテリアル・ナンバを付加して記録媒体に記録を行うことが可能である。
【００３０】
なお、識別情報の意味付けの定義及び送信位置については、上述した実施の形態に限定されるものではなく、上述した実施の形態として示したもの以外であってもよい。
【００３１】
また本実施の形態では、インターフェースとしてシリアルディジタルインターフェースを例にあげ、非圧縮の映像データを伝送する場合を説明したが、ＭＰＥＧ、ＤＶ等で圧縮された圧縮映像データを、ＳＭＰＴＥ３０５Ｍで規定されたＳＤＴＩ（シリアルデータトランスポートインターフェース）で伝送することも可能である。この場合、伝送される映像データの形式が非圧縮から圧縮データに置き換わるだけであり、対応するマテリアル・ナンバの設定はＳＤＩの場合と同様である。
【００３２】
また実施の形態では、データ送信装置は主に素材データの収録及び作成時に用いられるカメラに適用した場合について説明したが、本発明は、例えば、編集作業時や送出時に用いられるサーバ装置といったような機器であっても適用することができる
（実施の形態２）
以下、本発明を適用した具体的な実施の形態２について図面を参照しながら説明する。図３は第２の発明による一実施の形態のデータ受信装置の構成を示したブロック図である。図３において、３００は入力端子、３０１は送信された素材データを受信するインターフェース部、３０２映像データ、音声データ、ＵＭＩＤを分離するデフォーマッタ部、３０３は映像データ、３０４は音声データ、３０５はＵＭＩＤ、３０６はＵＭＩＤ３０５からマテリアル・ナンバ、インスタンス・ナンバ、識別情報を分離するデータ抽出部、３０７は抽出されたマテリアル・ナンバ、３０８は抽出されたインスタンス・ナンバ、３０９は抽出された識別情報、３１０は識別情報検出する識別情報検出部、３１１はマテリアル・ナンバ発生部、３１２はインスタンス・ナンバ発生部、３１３はＵＭＩＤ３０５の中のマテリアル・ナンバ、識別情報、インスタンス・ナンバを置き換えるデータ置換部、３１４はマテリアル・ナンバ、識別情報、インスタンス・ナンバが置き換えられたＵＭＩＤ、３１５は映像データ３０３、音声データ３０４、ＵＭＩＤ３１４を多重化して誤り訂正用パリティを付加する誤り訂正符号化部、３１６は記録用のチャンネルコーディングを行う変調部、３１７は記録媒体である。
【００３３】
なお、上記の各構成部分において、請求項３の素材番号検出手段はデータ抽出部３０６に、素材番号識別情報検出手段は識別情報検出部３１０に、素材番号決定手段はマテリアルナンバ発生部３１１、データ置換部３１３に、記録手段は誤り訂正符号化部３１５、変調部３１６にそれぞれ対応する。
【００３４】
以下本実施の形態の具体的な動作を説明する。本実施の形態では、外部から入力されたＵＭＩＤが多重された素材データを記録媒体に記録する受信装置の動作を説明する。
【００３５】
入力端子３００から入力されたデータに対して、インターフェース部３０１は伝送用にパケット化されたデータから元の素材データストリームを取り出す。取り出された素材データはデフォーマッタ部３０２において、映像データ３０３、音声データ３０４とＵＭＩＤ３０５に分離される。さらにデータ分離部３０６において、ＵＭＩＤ３０５からマテリアル・ナンバ３０７、インスタンス・ナンバ３０８、識別情報３０９が抽出される。マテリアル・ナンバ発生部３１１、インスタンス・ナンバ発生部３１２によるマテリアル・ナンバ、インスタンス・ナンバの発生は識別情報３０９の検出結果に応じて行われる。以下に、送信された識別情報の設定値に応じて、新しいマテリアル・ナンバ、インスタンス・ナンバを設定する方法について説明する。
【００３６】
マテリアル・ナンバ発生部３１１は識別情報検出部３１０による識別のための情報として図２に示したマテリアル・ナンバ発生方法の設定値の検出結果に基づいて、記録する素材データに付加するマテリアル・ナンバを発生する。まず、マテリアル・ナンバの発生方法が”０”、”１”、”２”に設定されている場合には、受信した素材データのマテリアル・ナンバを有効と識別し、記録用に発生するマテリアル・ナンバ及びその発生方法は元々設定されていた値を変更せずそのまま使用する。また、世代を管理するためのインスタンス・ナンバについては、記録を行うことによって世代が１つ上がるため、入力されたインスタンス・ナンバを１つインクリメントする。
【００３７】
次に、マテリアル・ナンバの発生方法が”７”の場合には、受信した素材データのマテリアル・ナンバを無効と識別し、新規にマテリアル・ナンバを発生するとともに、新しいマテリアル・ナンバ発生方法に設定し直す。マテリアル・ナンバ発生方法の設定はマテリアル・ナンバ発生部３１１にて行う。またインスタンス・ナンバについては、新規にマテリアル・ナンバを発生させることにより記録する素材がオリジナルの素材となるため、”０”に設定してオリジナル素材であることを示す。
【００３８】
以上のように設定された新しいマテリアル・ナンバとその発生方法、インスタンス・ナンバはデータ置換部３１３において、ＵＭＩＤ３０５の中のこれらの部分のみが新しい設定に置き換えられる。設定し直されたＵＭＩＤ３１４は誤り訂正符号化部３１５において映像データ３０２、音声データ３０４と多重化され、さらに誤り訂正用パリティが付加される。最後に変調部３１６によって記録用のチャンネルコーディングが行われて記録媒体３１７に記録される。記録媒体上に記録されたＵＭＩＤについては、マテリアル・ナンバインスタンス・ナンバは送信されたデータに応じて新規に付け替えられているが、素材の撮影時に付加されたシグネチャ・メタデータについては、元々送信側で設定された値がそのまま保存される。
【００３９】
また、通常、映像、音声データを受信して記録する場合、記録すると同時に受信した映像、音声データの処理を行って、別の出力端子から出力（以下ＥＥ出力と記す）される。
【００４０】
例えば、ＳＤＩから受信した信号をＥＥ出力として再びＳＤＩから出力する場合、ＥＥ出力のアンシラリ領域に多重されるＵＭＩＤについては、入力されたＵＭＩＤをそのまま伝送する（図示せず）ことにより、ＥＥ系出力をさらに受信した側でも、本受信装置と同様の処理を行うことができる。
【００４１】
以上説明したように本実施の形態によれば、受信した素材データに付加されたマテリアル・ナンバの識別情報に基づいて、記録するマテリアル・ナンバ、インスタンス・ナンバの発生方法を決定し、識別情報が無効で送信された場合には新たな素材番号を発生しオリジナルの素材として記録することができる。
【００４２】
【発明の効果】
以上詳細に説明したように、本発明にかかるデータ送信装置及び受信装置は、素材データに素材番号及び素材番号に関する識別情報を多重して送信し、受信側では識別情報に基づいて記録媒体に記録する素材番号、世代管理番号を判断する。これにより、素材番号、世代管理番号の発生方法を一意に規定することができ、ユーザがＵＭＩＤによる運用を行った場合に、素材を正しく管理することができる。
【図面の簡単な説明】
【図１】
第１の発明による実施の形態１のブロック図
【図２】
マテリアル・ナンバ発生方法の定義を示した説明図
【図３】
第２の発明による実施の形態２のブロック図
【図４】
従来のＵＭＩＤの構成を示した説明図
【符号の説明】
１０６　ユニバーサル・ラベル発生部
１０７　ユニバーサル・ラベル
１０８　シグネチャ・メタデータ発生部
１０９　シグネチャ・メタデータ
１１０，３１１　マテリアル・ナンバ発生部
１１１　マテリアル・ナンバ
１１２　識別情報発生部
１１３　識別情報
１１４、３１２　インスタンス・ナンバ発生部
１１５　インスタンス・ナンバ
１１５、３０５、３１４　ＵＭＩＤ
３１０　識別情報検出部
【図１】
2004140564.tif 000003
【図２】
2004140564.tif 000004
【図３】
2004140564.tif 000005
【図４】
2004140564.tif 000006